(57)【要約】【課題】  低価格であるともに非線形効果に強い構造のチャープＲＺ−ＡＭＩ光送信機を提供する。【解決手段】  バイナリデータを前符号化して得られた第１の信号と、第１の信号を反転及び遅延して得られた波形を有する第２の信号とを受信し、第１の信号及び第２の信号を論理演算して得られた第３の信号を出力する第１の論理ゲートと、第１の信号を反転して得られた波形を有する第４の信号と、第１の信号を遅延して得られた波形を有する第５の信号とを受信し、第４の信号及び第５の信号を論理演算した信号である第６の信号を出力する第２の論理ゲートと、第３の信号及び第６の信号により、入力された光を変調してＲＺ−ＡＭＩ光信号を出力するマッハツェンダ変調器とを含む。【選択図】  図３
2006119641.tif 000002
【特許請求の範囲】
【請求項１】
バイナリデータを前符号化して得られた第１の信号と、前記第１の信号を反転及び遅延して得られた波形を有する第２の信号と、を受信し、前記第１の信号及び前記第２の信号を論理演算して得られた第３の信号を出力する第１の論理ゲートと、
前記第１の信号を反転して得られた波形を有する第４の信号と、前記第１の信号を遅延して得られた波形を有する第５の信号と、を受信し、前記第４の信号及び前記第５の信号を論理演算した信号である第６の信号を出力する第２の論理ゲートと、
前記第３の信号及び前記第６の信号により、入力された光を変調してＲＺ−ＡＭＩ光信号を出力するマッハツェンダ変調器と、
を有することを特徴とするチャープＲＺ−ＡＭＩ光送信機。
【請求項２】
前記バイナリデータは、ＮＲＺ信号であることを特徴とする請求項１に記載のチャープＲＺ−ＡＭＩ光送信機。
【請求項３】
前記第１の論理ゲート及び前記第２の論理ゲートの各々は、ＮＡＮＤ論理ゲート、ＯＲ論理ゲート、ＡＮＤ論理ゲート、及び、ＮＯＲ論理ゲートよりなる群から選択された一つの論理ゲートであることを特徴とする請求項１に記載のチャープＲＺ−ＡＭＩ光送信機。
【請求項４】
前記第１の論理ゲート及び前記第２の論理ゲートは、同一の論理ゲートであることを特徴とする請求項３に記載のチャープＲＺ−ＡＭＩ光送信機。
【請求項５】
前記ＲＺ−ＡＭＩ光信号は、正のチャープを有しており、
前記ＲＺ−ＡＭＩ光信号は、強度が増加する場合には位相も増加し、強度が減少する場合には位相も減少し、
前記ＲＺ−ＡＭＩ光信号の位相は、前記第３の信号及び前記第６の信号の波形和により決定されることを特徴とする請求項１に記載のチャープＲＺ−ＡＭＩ光送信機。
【請求項６】
前記ＲＺ−ＡＭＩ光信号の電場は、前記第３の信号及び前記第６の信号の波形差により決定されることを特徴とする請求項５に記載のチャープＲＺ−ＡＭＩ光送信機。
【請求項７】
前記ＲＺ−ＡＭＩ光信号は、負のチャープを有しており、
前記ＲＺ−ＡＭＩ光信号は、強度が減少する場合には位相が増加し、強度が増加する場合には位相が減少し、
前記ＲＺ−ＡＭＩ光信号の位相は、前記第３の信号及び前記第６の信号の波形和により決定されることを特徴とする請求項１に記載のチャープＲＺ−ＡＭＩ光送信機。
【請求項８】
入力されたバイナリデータを前符号化し、前記前符号化された信号を２分岐して第１の分岐信号及び第２の分岐信号を生成し、前記第２の分岐信号を反転させ、前記第１の分岐信号と前記反転された第２の分岐信号とを出力する前符号化器と、
前記前符号化器から入力された前記第１の分岐信号を２分岐して、第３の分岐信号及び第４の分岐信号を生成し、前記第３の分岐信号を前記第１の信号として前記第１の論理ゲートに入力する第１の分岐手段と、
前記第１の分岐手段から入力された第４の分岐信号を遅延させて生成された前記第５の信号を前記第２の論理ゲートに出力する第１の遅延器と、
前記前符号化器から入力された反転された第２の分岐信号を２分岐して第５の分岐信号及び第６の分岐信号を生成し、前記第５の分岐信号を前記第４の信号として前記第２の論理ゲートに入力する第２の分岐手段と、
前記第２の分岐手段から入力された第６の分岐信号を遅延させて生成された前記第２の信号を前記第１の論理ゲートに出力する第２の遅延器と、
をさらに有することを特徴とする請求項１に記載のチャープＲＺ−ＡＭＩ光送信機。
【請求項９】
前記第１の遅延器及び前記第２の遅延器は、０.５ビットの遅延時間を有することを特徴とする請求項８に記載のチャープＲＺ−ＡＭＩ光送信機。
【請求項１０】
前記第１の論理ゲートから入力された前記第３の信号を増幅して前記マッハツェンダ変調器に提供する第１の変調器ドライバーと、
前記第２の論理ゲートから入力された前記第６の信号を増幅して前記マッハツェンダ変調器に提供する第２の変調器ドライバーと、
をさらに有することを特徴とする請求項１に記載のチャープＲＺ−ＡＭＩ光送信機。
【請求項１１】
バイナリデータを前符号化して得られた第１の信号と、前記第１の信号を反転及び遅延して得られた波形を有する第２の信号と、を受信し、前記第１及び第２の信号を論理演算して得られた第３の信号を出力する第１の論理ゲートと、
前記第２の信号と同一の波形を有する第４の信号と、前記第１の信号と同一の波形を有する第５の信号と、を受信し、前記第４の信号及び前記第５の信号を論理演算した信号である第６の信号を出力する第２の論理ゲートと、
前記第３の信号及び前記第６の信号によって入力された光を変調してＲＺ−ＡＭＩ光信号を出力するマッハツェンダ変調器と、
を有することを特徴とするチャープＲＺ−ＡＭＩ光送信機。
【請求項１２】
前記バイナリデータは、ＮＲＺ信号であることを特徴とする請求項１１に記載のチャープＲＺ−ＡＭＩ光送信機。
【請求項１３】
前記第１の論理ゲート及び前記第２の論理ゲートの組み合わせは、ＮＡＮＤ論理ゲートとＯＲ論理ゲートとの組み合わせ、ＯＲ論理ゲートとＮＡＮＤ論理ゲートとの組み合わせ、ＡＮＤ論理ゲートとＮＯＲ論理ゲートとの組み合わせ、およびＮＯＲ論理ゲートとＡＮＤ論理ゲートとの組み合わせよりなる群から選択された一つの組み合わせからなることを特徴とする請求項１１に記載のチャープＲＺ−ＡＭＩ光送信機。
【請求項１４】
前記ＲＺ−ＡＭＩ光信号は、正のチャープを有しており、
前記ＲＺ−ＡＭＩ光信号は、強度が増加する場合には位相も増加し、強度が減少する場合には位相も減少し、
前記ＲＺ−ＡＭＩ光信号の位相は、前記第３の信号及び前記第６の信号の波形和により決定されることを特徴とする請求項１１に記載のチャープＲＺ−ＡＭＩ光送信機。
【請求項１５】
前記ＲＺ−ＡＭＩ光信号は、負のチャープを有しており、
前記ＲＺ−ＡＭＩ光信号は、強度が減少する場合には位相が増加し、強度が増加する場合には位相が減少し、
前記ＲＺ−ＡＭＩ光信号の位相は、前記第３の信号及び前記第６の信号の波形和により決定されることを特徴とする請求項１１に記載のチャープＲＺ−ＡＭＩ光送信機。
【請求項１６】
前記ＲＺ−ＡＭＩ光信号の電場は、前記第３の信号及び前記第６の信号の波形差により決定されることを特徴とする請求項１５に記載のチャープＲＺ−ＡＭＩ光送信機。
【請求項１７】
入力されたバイナリデータを前符号化し、前記前符号化された信号を２分岐して、第１の分岐信号及び第２の分岐信号を生成し、前記第２の分岐信号を反転させ、前記第１の分岐信号と前記反転された第２の分岐信号とを出力する前符号化器と、
前記前符号化器から入力された前記第１の分岐信号を２分岐して、第３の分岐信号及び第４の分岐信号を生成し、前記第３の分岐信号を前記第１の信号として前記第１の論理ゲートに入力し、前記第４の分岐信号を前記第５の信号として前記第２の論理ゲートに入力する第１の分岐手段と、
前記前符号化器から入力された前記反転された第２の分岐信号を遅延させて出力する遅延器と、
前記遅延器から入力された前記遅延された第２の分岐信号を２分岐して、第５の分岐信号及び第６の分岐信号を生成し、前記第６の分岐信号を前記第２の信号として前記第１の論理ゲートに入力し、前記第５の分岐信号を前記第４の信号として前記第２の論理ゲートに入力する第２の分岐手段と、
をさらに有することを特徴とする請求項１１に記載のチャープＲＺ−ＡＭＩ光送信機。
【請求項１８】
前記遅延器は ０.５ビットの遅延時間を有することを特徴とする請求項１７に記載のチャープＲＺ−ＡＭＩ光送信機。
【請求項１９】
前記第１の論理ゲートから入力された前記第３の信号を増幅して前記マッハツェンダ変調器に提供する第１の変調器ドライバーと、
前記第２の論理ゲートから入力された前記第６の信号を増幅して前記マッハツェンダ変調器に提供する第２の変調器ドライバーと、
をさらに有することを特徴とする請求項１１に記載のチャープＲＺ−ＡＭＩ光送信機。
【請求項２０】
バイナリデータを前符号化して得られた第１の信号と、前記第１の信号を反転及び遅延して得られた波形を有する第２の信号と、を受信する過程と、
前記第１の信号及び前記第２の信号を論理演算して得られた第３の信号を出力する過程と、
前記第１の信号を反転して得られた波形を有する第４の信号と、前記第１の信号を遅延して得られた波形を有する第５の信号と、を受信する過程と、
前記第４の信号及び前記第５の信号を論理演算して得られた第６の信号を出力する過程と、
前記第３の信号及び前記第６の信号により、入力された光を変調してＲＺ−ＡＭＩ光信号を出力する過程と、
を有することを特徴とするチャープＲＺ−ＡＭＩ光信号の生成方法。
【発明の詳細な説明】
【技術分野】
【０００１】
本発明は、光送信機に関し、特に、チャープＲＺ−ＡＭＩ変調方式を使用した光送信機に関する。
【背景技術】
【０００２】
図１は、マッハツェンダ変調器と遅延干渉計を利用した一般的なＲＺ−ＡＭＩ(ｒｅｔｕｒｎ−ｔｏ−ｚｅｒｏ  ａｌｔｅｒｎａｔｉｖｅ−ｍａｒｋ−ｉｎｖｅｒｓｉｏｎ)光送信機の基本構成を示すブロック図であり、図２は、図１に示されたＲＺ−ＡＭＩ光送信機の処理信号を示すタイミング図である。ＲＺ−ＡＭＩ光送信機１００は、前符号化器(Ｐｒｅｃｏｄｅｒ)１１０と、変調器ドライバー(ｍｏｄｕｌａｔｏｒ ｄｒｉｖｅｒ)１２０と、連続発振レーザー(ＣＷ  ｌａｓｅｒ：ｃｏｎｔｉｎｕｏｕｓ  ｗａｖｅ  ｌａｓｅｒ)１３０と、マッハツェンダ変調器１４０と、遅延干渉計(ＤＩ：ｄｅｌａｙ  ｉｎｔｅｒｆｅｒｏｍｅｔｅｒ)１５０と、を含む。
【０００３】
前符号化器１１０は、入力されたＮＲＺ(ｎｏｎ  ｒｅｔｕｒｎ−ｔｏ−ｚｅｒｏ)信号であるバイナリデータ(ｂｉｎａｒｙ  ｄａｔａ)Ｓ１１を前符号化して出力し、変調器ドライバー１２０は、入力された前符号化された信号Ｓ１２を増幅して出力する。このとき、前符号化器１１０は、１ビット(ｂｉｔ)遅延素子と排他的論理和(ｅｘｃｌｕｓｉｖｅ−ＯＲ)素子とで構成することが可能である。
【０００４】
マッハツェンダ変調器１４０は、連続発振レーザー１３０から入力された光を上記増幅された信号によって強度及び位相変調して出力する。このとき、マッハツェンダ変調器１４０のバイアス(ｂｉａｓ)の位置は、その伝達特性関数において最小値に該当するゼロポイント(ｎｕｌｌ  ｐｏｉｎｔ)に位置させる。
【０００５】
遅延干渉計１５０は、マッハツェンダ変調器１４０から入力された変調された光信号Ｓ１３を第１及び第２の光信号に分岐し、第１の光信号を０.５ビット遅延し、その遅延された第１の光信号と第２の光信号とを相殺干渉させた光信号Ｓ１５を出力する。
【０００６】
以後、位相変調器を利用して１ビットごとに光信号Ｓ１５の位相が反転されるように相殺干渉された光信号Ｓ１５を位相変調すれば、ＲＺ−ＡＭＩ光信号を得ることができる。
【０００７】
周知のＲＺ−ＡＭＩ変調方式は、光信号の強度に情報を載せているとともに、１ビットごとに光信号の位相が反転される特徴を有している。特に、ＲＺ−ＡＭＩ光信号の強度を示すことにおいて、ＲＺ信号と同様に、光信号のエネルギーが０レベルから１レベルに移動して、さらに０レベルに戻ることで、１ビットを示す。
【０００８】
したがって、ＲＺ−ＡＭＩ光信号は、光信号の強度変化がＲＺ信号の強度変化と同一なので、ＲＺ変調方式の長所をそのまま保有するとともに(例えば、２０Ｇｂ／ｓ以上のデータ伝送速度を有する伝送システムの場合、光ファイバーの非線形性に強い)、１ビットごとに位相が反転するので、搬送波周波数成分が抑制されてブリュアン (Ｂｒｉｌｌｏｕｉｎ)非線形効果に強く、かつ、ＩＦＷＭ(ｉｎｔｒａ−ｃｈａｎｎｅｌ  ｆｏｕｒ−ｗａｖｅ−ｍｉｘｉｎｇ)とＩＸＰＭ(ｉｎｔｒａ−ｃｈａｎｎｅｌ ｃｒｏｓｓ−ｐｈａｓｅ−ｍｏｄｕｌａｔｉｏｎ)のような非線形効果にも強い特性を有する。
【発明の開示】
【発明が解決しようとする課題】
【０００９】
しかしながら、上述したようなＲＺ−ＡＭＩ光送信機１００は、高価な部品であるマッハツェンダ光変調器１４０、遅延干渉計１５０及び位相変調器を必要とするので、ＲＺ−ＡＭＩ光送信機１００を具備したシステム全体の価格競争力が低下するという問題点があった。
【００１０】
一方、ＲＺ信号にチャープ(ｃｈｉｒｐ)が係るようになれば、非線形効果に対して他の変調方式より強い特性を有することが知られているが、ＲＺ−ＡＭＩ光信号も同一な長所を有する。したがって、チャープＲＺ−ＡＭＩ変調方式は、チャープＲＺ信号とＲＺ−ＡＭＩ光信号との長所を、共に有する非常に優秀な変調方式と言える。そして、さらに安価であり、非線形効果に強いチャープＲＺ−ＡＭＩ光送信機が求められている。
【００１１】
本発明は、上述したような従来技術の問題点を解決するためになされたもので、その目的は、安価で非線形効果に強い構造のチャープＲＺ−ＡＭＩ光送信機を提供することにある。
【課題を解決するための手段】
【００１２】
上記課題を解決するための本発明の一側面によるチャープＲＺ−ＡＭＩ光送信機は、バイナリデータを前符号化して得られた第１の信号と、第１の信号を反転及び遅延して得られた波形を有する第２の信号とを受信し、第１の信号及び第２の信号を論理演算して得られた第３の信号を出力する第１の論理ゲートと、第１の信号を反転して得られた波形を有する第４の信号と、第１の信号を遅延して得られた波形を有する第５の信号と、を受信し、第４の信号及び第５の信号を論理演算した信号である第６の信号を出力する第２の論理ゲートと、第３の信号及び第６の信号により、入力された光を変調してＲＺ−ＡＭＩ光信号を出力するマッハツェンダ変調器とを含む。
【００１３】
また、本発明の他の側面によるチャープＲＺ−ＡＭＩ光送信機は、バイナリデータを前符号化して得られた第１の信号と、第１の信号を反転及び遅延して得られた波形を有する第２の信号とを受信し、第１の信号及び第２の信号を論理演算して得られた第３の信号を出力する第１の論理ゲートと、第２の信号と同一の波形を有する第４の信号と、第１の信号と同一の波形を有する第５の信号とを受信し、第４の信号及び第５の信号を論理演算した信号である第６の信号を出力する第２の論理ゲートと、第３の信号及び第６の信号により、入力された光を変調してＲＺ−ＡＭＩ光信号を出力するマッハツェンダ変調器と、を含む。
【００１４】
また、本発明のまた他の側面によるチャープＲＺ−ＡＭＩ光信号の生成方法は、バイナリデータを前符号化して得られた第１の信号と、第１の信号を反転及び遅延して得られた波形を有する第２の信号とを受信する過程と、第１の信号及び第２の信号を論理演算して得られた第３の信号を出力する過程と、第１の信号を反転して得られた波形を有する第４の信号と、第１の信号を遅延して得られた波形を有する第５の信号とを受信する過程と、第４の信号及び第５の信号を論理演算して得られた第６の信号を出力する過程と、第３の及び第６の信号によって入力された光を変調してＲＺ−ＡＭＩ光信号を出力する過程と、を含む。
【発明の効果】
【００１５】
本発明によるチャープＲＺ−ＡＭＩ光送信機は、高価な遅延干渉計を必要とせずに、一つのマッハツェンダ変調器のみを使用して安価に実現することができる。また、チャープＲＺ−ＡＭＩ光送信機は、チャープＲＺ−ＡＭＩ光信号を出力するので、非線形効果に強いという利点がある。
【発明を実施するための最良の形態】
【００１６】
以下、本発明の好適な一実施形態について添付図面を参照しつつ詳細に説明する。下記の説明において、本発明の要旨のみを明確にする目的で、関連した公知の機能又は構成に関する具体的な説明は省略する。
【００１７】
図３は、本発明の好ましい第１の実施形態によるチャープＲＺ−ＡＭＩ光送信機を示すブロック図である。
【００１８】
チャープＲＺ−ＡＭＩ光送信機２００は、前符号化器２１０と、第１及び第２の分岐手段２１２、２１４と、第１及び第２の遅延器２２０、２３０と、第１及び第２の論理ゲート(ｌｏｇｉｃ  ｇａｔｅ)２５０、２５５と、第１及び第２の変調器ドライバー２６０、２７０と、連続発振レーザー２８０と、マッハツェンダ変調器２９０と、を含む。
【００１９】
前符号化器２１０は、入力されたＮＲＺバイナリデータＳ２１を前符号化し、前符号化された信号(または、２−レベル信号)を２分岐して第１及び第２の分岐信号を生成し、第２の分岐信号は反転させ、他の第１の分岐信号Ｓ２２と、反転された第２の分岐信号Ｓ２２バーとを出力する。前符号化器２１０は、１ビット(ｂｉｔ)遅延素子及び排他的論理和(ｅｘｃｌｕｓｉｖｅ−ＯＲ)素子と、遅延素子及び排他的論理和素子の出力を２分岐するための分岐手段(例えば、導線の並列接続)と、分岐された二つの信号の中で一つを反転させるための反転器(ｉｎｖｅｒｔｅｒ)と、を含むことができる。
【００２０】
第１の分岐手段２１２は、前符号化器２１０から入力された第１の分岐信号Ｓ２２を２分岐して第３及び第４の分岐信号Ｓ２３、Ｓ２４を生成する。第１の分岐手段２１２は、導線を並列接続することにより形成できる。
【００２１】
第１の遅延器２２０は、第１の分岐手段２１２から入力された第４の分岐信号Ｓ２４を０.５ビット遅延させて出力する。
【００２２】
第２の分岐手段２１４は、前符号化器２１０から入力された反転された第２の分岐信号Ｓ２２バーを２分岐して第５及び第６の分岐信号Ｓ２５、Ｓ２６を生成する。第２の分岐手段２１４は、導線を並列接続することにより形成できる。
【００２３】
第２の遅延器２３０は、第２の分岐手段２１４から入力された第６の分岐信号Ｓ２６を０.５ビット遅延させて出力する。
【００２４】
第１の論理ゲート２５０は、第１の分岐手段２１２から入力された第３の分岐信号(以下、第１の信号と称する)Ｓ２３と、第２の遅延器２３０から入力された遅延された第６の分岐信号(以下、第２の信号と称する)Ｓ２６と、を受信し、当該第１及び第２の信号Ｓ２３、Ｓ２６を論理演算して出力する。
【００２５】
第２の論理ゲート２５５は、第２の分岐手段２１４から入力された第５の分岐信号(以下、第４の信号と称する)Ｓ２５と、第１の遅延器２２０から入力された遅延された第４の分岐信号(以下、第５の信号と称する)Ｓ２４と、を受信し、当該第４及び第５の信号Ｓ２５、Ｓ２４を論理演算して出力する。
【００２６】
第１の変調器ドライバー２６０は、第１の論理ゲート２５０から入力された演算信号(以下、第３の信号と称する)Ｓ２７を増幅して出力する。
【００２７】
第２の変調器ドライバー２７０は、第２の論理ゲート２５５から入力された演算信号(以下、第６の信号と称する)Ｓ２８を増幅して出力する。
【００２８】
連続発振レーザー２８０は、予め設定された波長の光を出力し、マッハツェンダ変調器２９０は、第３及び第６の信号Ｓ２７、Ｓ２８によって、連続発振レーザー２８０から入力された光を変調して得られたチャープＲＺ−ＡＭＩ光信号Ｓ２９を出力する。マッハツェンダ変調器２９０は、二重アーム(ｄｕａｌ−ａｒｍ)を有し、第３の信号Ｓ２７は、二重アームの中で一つのアームに印加され、第６の信号Ｓ２８は、他のアームに印加される。マッハツェンダ変調器２９０は、二重アームを有するz-カット(ｚ−ｃｕｔ)構造を有することができる。マッハツェンダ変調器２９０のバイアスは、変調器伝達特性の最小値に該当するゼロポイント(ｎｕｌｌ  ｐｏｉｎｔ)に位置させる。
【００２９】
チャープＲＺ−ＡＭＩ光信号の電場(Ｅ−ｆｉｅｌｄ)Ｓ２９(Ｅ)は、第１及び第２の論理ゲート２５０、２５５から出力される第３及び第６の信号Ｓ２７、Ｓ２８の波形差により決定され、チャープＲＺ−ＡＭＩ光信号の位相Ｓ２９(Ｐ)は、第１及び第２の論理ゲート２５０、２５５から出力される第３及び第６信号Ｓ２７、Ｓ２８の波形和により決定される。チャープＲＺ−ＡＭＩ光信号のチャープ特性は、第１及び第２の論理ゲート２５０、２５５の組み合わせによって変化し、チャープＲＺ−ＡＭＩ光信号は正または負のチャープを有するようになる。チャープＲＺ−ＡＭＩ光信号の強度が増加する際に、位相が一緒に増加し、強度が減少する際に、位相が一緒に減少する場合(すなわち、比例する場合)を、正のチャープを有するという。図６に正のチャープを示す極性図が図示されている。これと反対に、チャープＲＺ−ＡＭＩ光信号の強度が増加する際に、位相が減少し、強度が減少する際に、位相が増加する場合(すなわち、反比例する場合)を、負のチャープを有するという。図９に負のチャープを示す極性図が図示されている。
【００３０】
なお、チャープＲＺ−ＡＭＩ光信号の強度は、チャープＲＺ−ＡＭＩ光信号の電場(Ｅ−ｆｉｅｌｄ)Ｓ２９(Ｅ)の２乗に比例するものである。
【００３１】
第１及び第２の遅延器２２０、２３０の遅延時間をチャープＲＺ−ＡＭＩ光信号の伝送速度の半分程度(例えば、４０Ｇｂ／ｓの伝送速度である場合に約１２.５ｐｓ)にすれば、約５０％のＲＺが発生し、第１及び第２の遅延器２２０、２３０の遅延時間を調節することによって、ＲＺ信号であるチャープＲＺ−ＡＭＩ光信号のデューティーサイクル(ｄｕｔｙ  ｃｙｃｌｅ)を調節することができる。また、チャープＲＺ−ＡＭＩ光信号の位相は、１ビットごとに反転するようになるが、このような特性がＡＭＩ信号の典型的な形態である。
【００３２】
チャープＲＺ−ＡＭＩ光送信機２００は、第１及び第２の論理ゲート２５０、２５５の多様な組み合わせを利用して実現することができる。
【００３３】
図４は、第１及び第２の論理ゲート２５０、２５５の第１の組み合わせ例によるチャープＲＺ−ＡＭＩ光送信機２００の処理信号を示すタイミング図である。第１の組み合わせ例は、第１及び第２の論理ゲート２５０、２５５としてＮＡＮＤ論理ゲートを使用した場合である。
【００３４】
すなわち、第１の論理ゲート２５０は、第１の分岐手段２１２から入力された第１の信号Ｓ２３と第２の遅延器２３０から入力された第２の信号Ｓ２６とを受信し、第１及び第２の信号Ｓ２３、Ｓ２６が全部“１”ビットである場合に“０”ビットである第３の信号Ｓ２７を出力し、他の場合には“１”ビットである第３の信号Ｓ２７を出力する。
第２の論理ゲート２５５は、第２の分岐手段２１４から入力された第４の信号Ｓ２５と第１の遅延器２２０から入力された第５の信号Ｓ２４とを受信し、第４及び第５の信号Ｓ２５、Ｓ２４が全部“１”ビットである場合に“０”ビットである第６の信号Ｓ２８を出力し、他の場合には“１”ビットである第６の信号Ｓ２８を出力する。
【００３５】
第１及び第２の論理ゲート２５０、２５５は、ＮＯＲ論理ゲートとＡＮＤ論理ゲートを直列接続した組み合わせと同一の動作を実行する。第１の組み合わせ例では、マッハツェンダ変調器２９０から出力されるチャープＲＺ−ＡＭＩ光信号Ｓ２９の強度と位相Ｓ２９(Ｐ)が比例するので、図６に示されたような正のチャープを有することが分かる。
【００３６】
図５は、第１及び第２の論理ゲート２５０、２５５の、第２の組み合わせ例によるチャープＲＺ−ＡＭＩ光送信機２００の処理信号を示したタイミング図である。第２の組み合わせ例は、第１及び第２の論理ゲート２５０、２５５としてＯＲ論理ゲートを使用した場合である。
【００３７】
すなわち、第１の論理ゲート２５０は、第１の分岐手段２１２から入力された第１の信号Ｓ２３と第２の遅延器２３０から入力された第２の信号Ｓ２６とを受信し、第１及び第２の信号Ｓ２３、Ｓ２６の中で一つだけが“１”ビットであっても、“０”ビットである第３の信号Ｓ２７を出力し、第１及び第２の信号Ｓ２３、Ｓ２６が全部“０”ビットである場合に“１”ビットである第３の信号Ｓ２７を出力する。
【００３８】
第２の論理ゲート２５５は、第２の分岐手段２１４から入力された第４の信号Ｓ２５と第１の遅延器２２０から入力された第５の信号Ｓ２４とを受信し、第４及び第５の信号Ｓ２５、Ｓ２４の中で一つだけが“１”ビットであっても“０”ビットである第６の信号Ｓ２８を出力し、第１及び第２の信号Ｓ２５、Ｓ２４が全部“０”ビットである場合に“１”ビットである第６の信号Ｓ２８を出力する。
【００３９】
第２の組み合わせ例では、マッハツェンダ変調器２９０から出力されるチャープＲＺ−ＡＭＩ光信号Ｓ２９の強度と位相Ｓ２９(Ｐ)が比例するので、図６に示されたような正のチャープを有することが分かる。
【００４０】
図７は、第１及び第２の論理ゲート２５０、２５５の第３の組み合わせ例によるチャープＲＺ−ＡＭＩ光送信機２００の処理信号を示した図である。第３の組み合わせ例は、第１及び第２の論理ゲート２５０、２５５としてＡＮＤ論理ゲートを使用した場合である。
【００４１】
すなわち、第１の論理ゲート２５０は、第１の分岐手段２１２から入力された第１の信号Ｓ２３と第２の遅延器２３０から入力された第２の信号Ｓ２６とを受信し、第１及び第２の信号Ｓ２３、Ｓ２６が全部“１”ビットであれば、“１”ビットである第３の信号Ｓ２７を出力し、他の場合には“０”ビットである第３の信号Ｓ２７を出力する。
第２の論理ゲート２５５は、第２の分岐手段２１４から入力された第４の信号Ｓ２５と第１の遅延器２２０から入力された第５の信号Ｓ２４とを受信し、第４及び第５の信号Ｓ２５、Ｓ２４が全部“１”ビットであれば、“１”ビットである第６の信号Ｓ２８を出力し、他の場合には“０”ビットである第６の信号Ｓ２８を出力する。
【００４２】
第３の組み合わせ例では、マッハツェンダ変調器２９０から出力されるチャープＲＺ−ＡＭＩ光信号Ｓ２９の強度と位相Ｓ２９(Ｐ)が反比例するので、図９に示されたような負のチャープを有することが分かる。
【００４３】
図８は、第１及び第２の論理ゲート２５０、２５５の第４の組み合わせ例によるチャープＲＺ−ＡＭＩ光送信機２００の処理信号を示したタイミング図である。第４の組み合わせ例は、第１及び第２の論理ゲート２５０、２５５としてＮＯＲ論理ゲートを使用した場合である。
【００４４】
すなわち、第１の論理ゲート２５０は、第１の分岐手段２１２から入力された第１の信号Ｓ２３と第２の遅延器２３０から入力された第２の信号Ｓ２６とを受信し、第１及び第２の信号Ｓ２３、Ｓ２６が全部“０”ビットであれば、“１”ビットである第３の信号Ｓ２７を出力し、他の場合には“０”ビットである第３の信号Ｓ２７を出力する。
【００４５】
第２の論理ゲート２５５は、第２の分岐手段２１４から入力された第４の信号Ｓ２５と第１の遅延器２２０から入力された第５の信号Ｓ２４とを受信し、第４及び第５の信号Ｓ２５、Ｓ２４が全部“０”ビットであれば、“１”ビットである第６の信号Ｓ２８を出力し、他の場合には“０”ビットである第６の信号Ｓ２８を出力する。
【００４６】
第４の組み合わせ例では、マッハツェンダ変調器２９０から出力されるチャープＲＺ−ＡＭＩ光信号Ｓ２９の強度と位相Ｓ２９(Ｐ)が反比例するので、図９に示されたような負のチャープを有することが分かる。
【００４７】
表1には、上述した第１乃至第４の組み合わせ例についてのフォーマット及びチャープ符号が整理されている。
【００４８】
【表１】
2006119641.tif 000003
【００４９】
図１０は、本発明の好ましい第２の実施形態によるチャープＲＺ−ＡＭＩ光送信機を示すブロック図である。チャープＲＺ−ＡＭＩ光送信機３００は、図３に示されたチャープＲＺ−ＡＭＩ光送信機２００の構成において、遅延器を一つだけ使用し、当該遅延器の位置を変更したことだけが相違しており、他の構成は同一である。以下、重複する説明は省略する。
【００５０】
チャープＲＺ−ＡＭＩ光送信機３００は、前符号化器３１０と、第１及び第２の分岐手段３１２、３１４と、遅延器３２０と、第１及び第２の論理ゲート３３０、３４０と、第１及び第２の変調器ドライバー３５０、３６０と、連続発振レーザー３７０と、マッハツェンダ変調器３８０と、を含む。
【００５１】
前符号化器３１０は、入力されたＮＲＺバイナリデータＳ３１を前符号化し、前符号化された信号(または、２−レベル信号)を２分岐して、第１及び第２の分岐信号を生成し、第２の分岐信号は反転させ、他の第１分岐信号Ｓ３２と反転された第２の分岐信号Ｓ３２バーを出力する。
【００５２】
第１の分岐手段３１２は、前符号化器から入力された第１の分岐信号Ｓ３２を２分岐して、第３及び第４の分岐信号Ｓ３３、Ｓ３４を生成する。
【００５３】
遅延器３２０は、前符号化器３１０から入力された反転された第２の分岐信号Ｓ３２バーを0.5ビット遅延させて出力する。
【００５４】
第２の分岐手段３１４は、遅延器３２０から入力された遅延された第２の分岐信号Ｓ３２バーを２分岐して、第５及び第６の分岐信号Ｓ３５、Ｓ３６を生成する。
【００５５】
第１の論理ゲート３３０は、第１の分岐手段３１２から入力された第３の分岐信号(以下、第１の信号と称する)Ｓ３３と第２の分岐手段３１４から入力された第６の分岐信号(以下、第２の信号と称する)Ｓ３６とを受信し、第１及び第２の信号Ｓ３３、Ｓ３６を論理演算して出力する。
【００５６】
第２の論理ゲート３４０は、第２の分岐手段３１４から入力された第５の分岐信号(以下、第４の信号と称する)Ｓ３５と第１の分岐手段３１２から入力された第４の分岐信号(以下、第５の信号と称する)Ｓ３４を受信し、第４及び第５の信号Ｓ３５、Ｓ３４を論理演算して出力する。
【００５７】
第１の変調器ドライバー３５０は、第１の論理ゲート３３０から入力された演算信号(以下、第３の信号と称する)Ｓ３７を増幅して出力する。
【００５８】
第２の変調器ドライバー３６０は、第２の論理ゲート３４０から入力された演算信号(以下、第６の信号と称する)Ｓ３８を増幅して出力する。
【００５９】
連続発振レーザー３７０は、予め設定された波長の光を出力し、マッハツェンダ変調器３８０は、第３及び第６の信号Ｓ３７、Ｓ３８によって連続発振レーザー３７０から入力された光を変調して得られたチャープＲＺ−ＡＭＩ光信号Ｓ３９を出力する。
【００６０】
チャープＲＺ−ＡＭＩ光送信機３００は、第１及び第２の論理ゲート３３０、３６０の多様な組み合わせを利用して具現することができる。
【００６１】
表２には、第５乃至第８の組み合わせ例についてのフォーマット及びチャープ符号が整理されている。各組み合わせについての詳細な説明は省略する。
【００６２】
【表２】
2006119641.tif 000004
【００６３】
以上、本発明を具体的な実施形態を参照して詳細に説明したが、本発明の範囲は前述の実施形態によって限定されるべきではなく、特許請求の範囲の記載及びこれと均等なものの範囲内で様々な変形が可能なことは、当該技術分野における通常の知識を持つ者には明らかである。
【図面の簡単な説明】
【００６４】
【図１】マッハツェンダ変調器と遅延干渉計を利用した一般的なＲＺ−ＡＭＩ光送信機の基本構成を示すブロック図である。
【図２】図１に示されたＲＺ−ＡＭＩ光送信機の処理信号を示すタイミング図である。
【図３】本発明の第１の実施形態によるチャープＲＺ−ＡＭＩ光送信機を示すブロック図である。
【図４】本発明の第１の実施形態によるチャープＲＺ−ＡＭＩ光送信機の第１及び第２の論理ゲートの第１の組み合わせ例による処理信号を示したタイミング図である。
【図５】本発明の第１の実施形態によるチャープＲＺ−ＡＭＩ光送信機の第１及び第２の論理ゲートの第２の組み合わせ例による処理信号を示したタイミング図である。
【図６】正のチャープを示す極性図である。
【図７】本発明の第１の実施形態によるチャープＲＺ−ＡＭＩ光送信機の第１及び第２の論理ゲートの第３の組み合わせ例による処理信号を示したタイミング図である。
【図８】本発明の第１の実施形態によるチャープＲＺ−ＡＭＩ光送信機の第１及び第２の論理ゲートの第４の組み合わせ例による処理信号を示したタイミング図である。
【図９】負のチャープを示す極性図である。
【図１０】本発明の第２の実施形態によるチャープＲＺ−ＡＭＩ光送信機を示すブロック図である。
【符号の説明】
【００６５】
２００：チャープＲＺ−ＡＭＩ光送信機
２１０：前符号化器
２１２：第１の分岐手段
２１４：第２の分岐手段
２２０：第１の遅延器
２３０：第２の遅延器
２５０：第１の論理ゲート
２５５：第２の論理ゲート
２６０：第１の変調器ドライバー
２７０：第２の変調器ドライバー
２８０：連続発振レーザー
２９０：マッハツェンダ変調器
【図１】
2006119641.tif 000005
【図２】
2006119641.tif 000006
【図３】
2006119641.tif 000007
【図４】
2006119641.tif 000008
【図５】
2006119641.tif 000009
【図６】
2006119641.tif 000010
【図７】
2006119641.tif 000011
【図８】
2006119641.tif 000012
【図９】
2006119641.tif 000013
【図１０】
2006119641.tif 000014